(57)【特許請求の範囲】
【請求項１】
契約情報管理装置において登録されている、移動機の購入時または契約時に設定された、当該移動機を一意に識別可能にする端末識別情報およびユーザを一意に識別可能にする加入者情報を取得する取得手段と、
前記取得手段により取得された端末識別情報および加入者情報を対応づけた管理テーブルを記憶する記憶手段と、
移動機から、端末識別情報および加入者情報を含んだ位置登録要求を受信する受信手段と、
前記受信手段により位置登録要求が受信されると、前記記憶手段に記憶されている管理テーブルに対応付けられている端末識別情報および加入者情報と、前記位置登録要求に含まれている端末識別情報および加入者情報とが一致するか否かを判断する判断手段と、
前記判断手段により、端末識別情報および加入者情報の対応付けが一致していると判断されると、前記受信手段により受信された位置登録要求に応じて位置登録処理を行い、一致しないと判断されると、位置登録処理を行わない制御を行う制御手段とを備える通信管理装置。
【請求項２】
請求項１の通信管理装置に対して、通信接続処理のための要求を行う移動機であって、前記通信接続処理に用いられる、加入者識別情報および端末識別情報を記憶する着脱自在の記憶手段を備える移動機。
【請求項３】
請求項１に記載の通信管理装置および請求項２に記載の移動機を備える通信システム。
【請求項４】
契約情報管理装置において登録されている、移動機の購入時または契約時に設定された、当該移動機を一意に識別可能にする端末識別情報および電話番号を取得する取得手段と、
前記取得手段により取得された端末識別情報および電話番号を対応づけた管理テーブルを記憶する記憶手段と、
移動機に対して、端末識別情報および電話番号を含んだ通信接続要求を受信する受信手段と、
前記受信手段により通信接続要求が受信されると、前記記憶手段に記憶されている管理テーブルに対応付けられている端末識別情報および電話番号と、前記通信接続要求に含まれている端末識別情報および電話番号とが一致するか否かを判断する判断手段と、
前記判断手段により、端末識別情報および電話番号の対応付けが一致していると判断されると、前記受信手段により受信された通信接続要求に応じて通信接続処理を行い、一致しないと判断されると、通信接続処理を行わない制御を行う制御手段とを備える通信管理装置。
【請求項５】
請求項４の通信管理装置に対して、通信接続処理のための要求を行う移動機であって、前記通信接続処理に用いられる、電話番号および端末識別情報を記憶する着脱自在の記憶手段を備える移動機。
【請求項６】
請求項４に記載の通信管理装置および請求項５に記載の移動機を備える通信システム。
【請求項７】
契約情報管理装置において登録されている、移動機の購入時または契約時に設定された、当該移動機を一意に識別可能にする端末識別情報およびユーザを一意に識別可能にする加入者情報を対応づけた管理テーブルを記憶する記憶手段を備える通信管理装置の通信管理方法において、
移動機から、端末識別情報および加入者情報を含んだ位置登録要求を受信する受信ステップと、
前記受信ステップにより位置登録要求が受信されると、前記記憶手段に記憶されている管理テーブルに対応付けられている端末識別情報および加入者情報と、前記位置登録要求に含まれている端末識別情報および加入者情報とが一致するか否かを判断する判断ステップと、
前記判断ステップにより、端末識別情報および加入者情報の対応付けが一致していると判断されると、前記受信ステップにより受信された位置登録要求に応じて位置登録処理を行い、一致しないと判断されると、位置登録処理を行わない制御を行う制御ステップとを備える通信管理方法。
【請求項８】
契約情報管理装置において登録されている、移動機の購入時または契約時に設定された、当該移動機を一意に識別可能にする端末識別情報および電話番号を対応づけた管理テーブルを記憶する記憶手段を備える通信管理装置の通信管理方法において、
移動機に対して、端末識別情報および電話番号を含んだ通信接続要求を受信する受信ステップと、
前記受信ステップにより通信接続要求が受信されると、前記記憶手段に記憶されている管理テーブルに対応付けられている端末識別情報および電話番号と、前記通信接続要求に含まれている端末識別情報および電話番号とが一致するか否かを判断する判断ステップと、
前記判断ステップにより、端末識別情報および電話番号の対応付けが一致していると判断されると、前記受信ステップにより受信された通信接続要求に応じて通信接続処理を行い、一致しないと判断されると、通信接続処理を行わない制御を行う制御ステップとを備える通信管理方法。
【発明の詳細な説明】
【技術分野】
【０００１】
本発明は、ＳＩＭ（Subscriber Information Module）を装着可能にする移動機、およびこの移動機に対する制御を行う通信管理装置、通信システムならびに通信管理方法に関する。
に関する。
【背景技術】
【０００２】
携帯電話などの移動機を紛失して第三者による不正使用を防止することが従来から考えられている。例えば、特許文献１においては、移動機を紛失した場合、第三者による不正利用をさせないため、遠隔操作により端末をロック状態にして発信処理等を行わせないようにすることが記載されている。
【先行技術文献】
【特許文献】
【０００３】
【特許文献１】特開２００７−１３５１５３号公報
【発明の概要】
【発明が解決しようとする課題】
【０００４】
しかしながら、近年の移動機は、加入者情報等を記憶するＳＩＭを利用して通信を行うことものであり、そのＳＩＭを差し替えることにより、その紛失した移動機を用いた通信を行うことができる。よって、従来の技術では、移動機本体の利用を防止することができない。
【０００５】
そこで、本発明は、ＳＩＭを差し替えたとしても、移動機の利用を制限することができる通信管理装置、移動機、通信システムおよび通信管理方法を提供することを目的とする。
【課題を解決するための手段】
【０００６】
上述の課題を解決するために、本発明の通信管理装置は、契約情報管理装置において登録されている、移動機の購入時または契約時に設定された、当該移動機を一意に識別可能にする端末識別情報およびユーザを一意に識別可能にする加入者情報を取得する取得手段と、前記取得手段により取得された端末識別情報および加入者情報を対応づけた管理テーブルを記憶する記憶手段と、移動機から、端末識別情報および加入者情報を含んだ位置登録要求を受信する受信手段と、前記受信手段により位置登録要求が受信されると、前記記憶手段に記憶されている管理テーブルに対応付けられている端末識別情報および加入者情報と、前記位置登録要求に含まれている端末識別情報および加入者情報とが一致するか否かを判断する判断手段と、前記判断手段により、端末識別情報および加入者情報の対応付けが一致していると判断されると、前記受信手段により受信された位置登録要求に応じて位置登録処理を行い、一致しないと判断されると、位置登録処理を行わない制御を行う制御手段とを備える。
【０００７】
また、本発明の通信管理方法は、契約情報管理装置において登録されている、移動機の購入時または契約時に設定された、当該移動機を一意に識別可能にする端末識別情報およびユーザを一意に識別可能にする加入者情報を対応づけた管理テーブルを記憶する記憶手段を備える通信管理装置の通信管理方法において、移動機から、端末識別情報および加入者情報を含んだ位置登録要求を受信する受信ステップと、前記受信ステップにより位置登録要求が受信されると、前記記憶手段に記憶されている管理テーブルに対応付けられている端末識別情報および加入者情報と、前記位置登録要求に含まれている端末識別情報および加入者情報とが一致するか否かを判断する判断ステップと、前記判断ステップにより、端末識別情報および加入者情報の対応付けが一致していると判断されると、前記受信ステップにより受信された位置登録要求に応じて位置登録処理を行い、一致しないと判断されると、位置登録処理を行わない制御を行う制御ステップとを備える。
【０００８】
この発明によれば、契約情報管理装置において登録されている、移動機の購入時または契約時に設定された、当該移動機を一意に識別可能にする端末識別情報およびユーザを一意に識別可能にする加入者情報を対応づけた管理テーブルを記憶しておき、移動機から、端末識別情報および加入者情報を含んだ位置登録要求を受信し、位置登録要求が受信されると、管理テーブルに対応付けられている端末識別情報および加入者情報と、位置登録要求に含まれている端末識別情報および加入者情報とが一致するか否かを判断する。そして、端末識別情報および加入者情報の対応付けが一致していると判断されると、受信された位置登録要求に応じて位置登録処理を行い、一致しないと判断されると、位置登録処理を行わない制御を行う。これにより、移動機を紛失した場合における移動機本体の通信網を利用した不正利用を防止することができる。すなわち、移動機は一般的にＳＩＭといった加入者情報を記憶するメモリカードを装着することにより通信などを実行することができ、ＳＩＭを入れ替えることにより、紛失した移動機を不正に利用することが想定されるが、本発明によれば、そのような不正利用と想定される場合には、位置登録処理を行わないため、通信することができず、よってそのような不正利用を防止することができる。
【０００９】
また、本発明の通信管理装置は、契約情報管理装置において登録されている、移動機の購入時または契約時に設定された、当該移動機を一意に識別可能にする端末識別情報および電話番号を取得する取得手段と、前記取得手段により取得された端末識別情報および電話番号を対応づけた管理テーブルを記憶する記憶手段と、移動機に対して、端末識別情報および電話番号を含んだ通信接続要求を受信する受信手段と、前記受信手段により通信接続要求が受信されると、前記記憶手段に記憶されている管理テーブルに対応付けられている端末識別情報および電話番号と、前記通信接続要求に含まれている端末識別情報および電話番号とが一致するか否かを判断する判断手段と、前記判断手段により、端末識別情報および電話番号の対応付けが一致していると判断されると、前記受信手段により受信された通信接続要求に応じて通信接続処理を行い、一致しないと判断されると、通信接続処理を行わない制御を行う制御手段とを備える。
【００１０】
また、本発明の通信管理方法は、契約情報管理装置において登録されている、移動機の購入時または契約時に設定された、当該移動機を一意に識別可能にする端末識別情報および電話番号を対応づけた管理テーブルを記憶する記憶手段を備える通信管理装置の通信管理方法において、移動機に対して、端末識別情報および電話番号を含んだ通信接続要求を受信する受信ステップと、前記受信ステップにより通信接続要求が受信されると、前記記憶手段に記憶されている管理テーブルに対応付けられている端末識別情報および電話番号と、前記通信接続要求に含まれている端末識別情報および電話番号とが一致するか否かを判断する判断ステップと、前記判断ステップにより、端末識別情報および電話番号の対応付けが一致していると判断されると、前記受信ステップにより受信された通信接続要求に応じて通信接続処理を行い、一致しないと判断されると、通信接続処理を行わない制御を行う制御ステップとを備える。
【００１１】
この発明によれば、契約情報管理装置において登録されている、移動機の購入時または契約時に設定された、当該移動機を一意に識別可能にする端末識別情報および電話番号を対応づけた管理テーブルを記憶しておき、移動機に対して、端末識別情報および電話番号を含んだ通信接続要求を受信し、通信接続要求が受信されると、管理テーブルに対応付けられている端末識別情報および電話番号と、通信接続要求に含まれている端末識別情報および電話番号とが一致するか否かを判断する。そして、端末識別情報および電話番号の対応付けが一致していると判断されると、通信接続要求に応じて通信接続処理を行い、一致しないと判断されると、通信接続処理を行わない制御を行う。これにより、移動機を紛失した場合における移動機本体の通信網を利用した不正利用を防止することができる。すなわち、移動機は一般的にＳＩＭといった加入者情報を記憶するメモリカードを装着することにより通信などを実行することができ、ＳＩＭを入れ替えることにより、紛失した移動機を不正に利用することが想定されるが、本発明によれば、そのような不正利用と想定される場合には、発信要求などの通信接続要求に基づいた接続処理を行わないため、通信することができず、よってそのような不正利用を防止することができる。
【００１２】
また、本発明の移動機は、上記通信管理装置に対して、通信接続処理のための要求を行う移動機であって、前記通信接続処理に用いられる、加入者識別情報および端末識別番号を記憶する着脱自在の記憶手段を備える。
【００１３】
また、本発明の移動機は、上記通信管理装置に対して、通信接続処理のための要求を行う移動機であって、前記通信接続処理に用いられる、電話番号および端末識別番号を記憶する着脱自在の記憶手段を備える。
【００１４】
この移動機を紛失等して第三者に不正に渡り、ＳＩＭ等の記憶手段を差し替えて利用しようとしても、通信網を利用した不正利用を防止することができる。
【００１５】
なお、本発明は、上述通信管理装置の発明および移動機の発明として捉えるほか、通信システムの発明としてとらえることができる。すなわち、本発明の通信システムは、上記通信管理装置および上記移動機を備えている。
【発明の効果】
【００１６】
この発明によれば、移動機を紛失等した場合における、通信網を利用した移動機本体の不正利用を防止することができる。
【図面の簡単な説明】
【００１７】
【図１】本実施形態のネットワーク管理装置１００の機能構成を示すブロック図である。
【図２】ネットワーク管理装置１００のハードウェア構成図である。
【図３】その管理テーブル１０６の具体例を示す説明図である。
【図４】移動機２００および契約情報管理装置３００と、ネットワーク管理装置１００との処理を示すシーケンス図である。
【図５】変形例におけるネットワーク管理装置１００ａの機能を示すブロック図である。
【図６】移動機２００および契約情報管理装置３００と、ネットワーク管理装置１００ａとの処理を示すシーケンス図である。
【発明を実施するための形態】
【００１８】
添付図面を参照しながら本発明の実施形態を説明する。可能な場合には、同一の部分には同一の符号を付して、重複する説明を省略する。
【００１９】
図１は、本実施形態のネットワーク管理装置１００の機能構成を示すブロック図である。図１に示されるように、ネットワーク管理装置１００は、移動機２００に対する通信接続処理を行う通信管理装置であって、この移動機２００とともに通信システムを構築している。このネットワーク管理装置１００は、位置登録要求受信部１０１（受信手段）、規制判断部１０２（判断手段）、制御部１０３（制御手段）、位置登録要求応答部１０４、および記憶部１０５（管理テーブル１０６（記憶手段）、ユーザプロファイル記憶部）を含んで構成されている。このネットワーク管理装置１００は、例えばＨＬＲ（Home Location Register）、ＶＬＲ（Visitor Location Register）、またはＳＧＳＮ（Serving ＧＰＲＳ Support Node）であり、位置登録処理のためのユーザプロファイル情報などを記憶し、移動機２００からの要求に応じて通信接続処理を行うことができるノードである。なお、移動機２００は、ＳＩＭといった着脱自在の記憶手段を備えており、その記憶手段は、移動機２００のＩＭＥＩ（International MobileEquipment Identity：端末識別情報）およびＩＭＳＩ（International Mobile Subscriber Identity：加入者識別情報）、ならびにＭＳＮ（MobileSubscriber Name：電話番号）を記憶している。
【００２０】
このネットワーク管理装置１００は、図２に示されるハードウェアにより実現されている。図２は、ネットワーク管理装置１００のハードウェア構成図である。図１に示されるネットワーク管理装置１００は、物理的には、図２に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、ハードディスク等の補助記憶装置１７などを含むコンピュータシステムとして構成されている。図１において説明した各機能は、図２に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図１に示す機能ブロックに基づいて、各機能ブロックを説明する。
【００２１】
位置登録要求受信部１０１は、移動機２００から位置登録要求を受信する部分である。この位置登録要求は、移動機２００が電源オンとなった場合や、在圏エリアを跨いだ場合に行われるものである。
【００２２】
規制判断部１０２は、位置登録要求受信部１０１により位置登録要求が受信されると、その位置登録要求に含まれているＩＭＥＩおよびＩＭＳＩが、管理テーブル１０６に記述されているＩＭＥＩおよびＩＭＳＩの対応関係と一致しているか否かを判断する。
【００２３】
制御部１０３は、規制判断部１０２に基づく判断に従って、位置登録要求に対して、許可するか、不許可とするかを制御する部分である。すなわち、制御部１０３は、規制判断部１０２により位置登録要求に含まれているＩＭＥＩおよびＩＭＳＩの対応関係と一致するものが、管理テーブル１０６に記述されていると判断すると、当該位置登録要求を発した移動機２００は、ＳＩＭが不正に差し替えられたものではないと判断することができ、位置登録要求を許可する。
【００２４】
一方、規制判断部１０２により位置登録要求に含まれているＩＭＥＩおよびＩＭＳＩの対応関係と一致するものが、管理テーブル１０６に記述されていないと判断すると、当該位置登録要求を発した移動機２００は、ＳＩＭが不正に差し替えられた可能性が高いものであると判断することができ、位置登録要求を不許可とする。
【００２５】
位置登録要求応答部１０４は、制御部１０３において、位置登録要求を許可した場合には、その移動機２００に対して、位置登録許可である旨の応答信号を送信する。また、不許可とした場合には、その移動機２００に対して、位置登録ＮＧである旨の応答信号を送信する。
【００２６】
記憶部１０５は、管理テーブル１０６およびユーザプロファイル記憶部１０７から構成されている。
【００２７】
管理テーブル１０６は、規制対象となる移動機２００のＩＭＥＩ、ＩＭＳＩ、およびＭＳＮを対応付けて記憶する部分である。例えば、図３は、その管理テーブル１０６の具体例を示す説明図であって、規制対象となる移動機２００のＩＭＥＩ、ＩＭＳＩ、およびＭＳＮを対応付けている。
【００２８】
ユーザプロファイル記憶部１０７は、移動機２００の加入者情報等のユーザ情報や、ユーザの在圏情報を記憶する部分である。制御部１０３において、位置登録要求が許可された場合には、このユーザプロファイル記憶部１０７にユーザの在圏情報が記憶される。
【００２９】
このように構成されたネットワーク管理装置１００の処理について説明する。図４は、移動機２００および契約情報管理装置３００と、ネットワーク管理装置１００との処理を示すシーケンス図である。まず、移動機２００の購入時（契約時）に、ＩＭＥＩ、ＩＭＳＩ、ＭＳＮの組み合わせが、契約情報管理装置３００に登録される（Ｓ１０１）。これは購入先（若しくは、契約先）の店舗等にてオペレータにより行われる。そして、この契約情報管理装置３００からネットワーク管理装置１００に登録されたＩＭＥＩ、ＩＭＳＩ、ＭＳＮが送信され、ネットワーク管理装置１００において、記憶される（Ｓ１０２）。
【００３０】
一方、移動機２００においては、ユーザによる電源投入による位置登録要求、若しくは、通信エリアを跨いだ時に行われる位置登録要求が、基地局等を介して、ネットワーク管理装置１００に送信される（Ｓ１０３）。
【００３１】
ネットワーク管理装置１００においては、位置登録要求受信部１０１により、位置登録要求が受信されると、その位置登録要求に含まれているＩＭＥＩおよびＩＭＳＩの対応付けが、管理テーブル１０６に記憶されているものと一致するか否かが、規制判断部１０２により判断される（Ｓ１０４）。
【００３２】
ここで、一致すると判断されると、制御部１０３により、位置登録処理が行われ、ユーザプロファイル記憶部１０７に移動機２００の在圏情報が記憶される（Ｓ１０５）。そして、移動機２００に対して、位置登録要求応答部１０４により、位置登録許可の旨の信号が送信される（Ｓ１０６）。
【００３３】
また、Ｓ１０４において、一致しないと判断されると、位置登録要求応答部１０４により、移動機２００に対して、位置登録不許可の旨の信号が送信される（Ｓ１０７）。
【００３４】
このようにして、移動機２００を紛失して、そのＳＩＭが差し替えられたとしても、その移動機２００本体自体を不正に第三者に利用させることを防止することができる。
【００３５】
つぎに、本実施形態のネットワーク管理装置１００の変形例について説明する。図５は、変形例におけるネットワーク管理装置１００ａの機能を示すブロック図である。このネットワーク管理装置１００ａは、位置登録処理を行いつつ、移動機２００からの発信信号の通信接続要求若しくは、他の端末から移動機２００宛に対する通信接続要求があった場合に、通信制御部１０８による通信処理が規制される点で、相違する。以下、相違点に基づく構成要素について説明する。ネットワーク管理装置１００ａは、位置登録要求受信部１０１、規制判断部１０２ａ、位置登録要求応答部１０４、記憶部１０５（管理テーブル１０６およびユーザプロファイル記憶部１０７ａ）、通信制御部１０８を含んで構成されている。
【００３６】
位置登録要求受信部１０１および位置登録要求応答部１０４は、移動機２００からの位置登録要求に応じて位置登録処理を行う部分である。これら構成は、上述実施形態同様である。
【００３７】
規制判断部１０２ａは、通信制御部１０８において、発信元である移動機２００の電話番号（ＭＳＮ）およびＩＭＥＩを含んだ発信要求を受信すると、管理テーブル１０６に記憶されているＭＳＮおよびＩＭＥＩの対応付けと一致しているか否かを判断する部分である。規制判断部１０２ａは、その判断結果を通信制御部１０８に通知する。
【００３８】
通信制御部１０８は、移動機２００に対して通信接続処理を行う部分であり、規制判断部１０２ａから出力された判断結果に従って、移動機２００における通信接続要求に対して、通信接続処理を実行する部分である。すなわち、通信制御部１０８は、規制判断部１０２ａにおいて、ＭＳＮとＩＭＥＩとの対応付けが一致していると破断された場合には、通信接続要求に対して、通信接続処理を行う。一致していないと判断された場合には、通信接続要求に対して、通信接続要求を行わずに、エラー通知を発信元に対して行う。
【００３９】
このような構成により、所定の移動機２００に対しては、発着信の規制を行うことができ、移動機２００自体を不正に使用されることを防止することができる。
【００４０】
つぎに、このように構成された変形例におけるネットワーク管理装置１００ａの処理について説明する。図６は、移動機２００および契約情報管理装置３００と、ネットワーク管理装置１００ａとの処理を示すシーケンス図である。
【００４１】
Ｓ１０１からＳ１０３までは、上述本実施形態のネットワーク管理装置１００の処理を同じであって、契約情報管理装置３００において、ＩＭＥＩ、ＩＭＳＩ、およびＭＮＳの組み合わせの登録を行い、それをネットワーク管理装置１００ａに送信して、記憶しておく（Ｓ１０１、Ｓ１０２）。
【００４２】
その後、移動機２００から発信要求が送られると、ネットワーク管理装置１００ａにおいて、Ｓ２０１において受信された発信信号に含まれているＩＭＥＩおよびＭＳＮの組み合わせが、管理テーブル１０６に記憶されているものと一致するか否かが、規制判断部１０２に判断される（Ｓ２０２）。ここで、一致すると判断されると、通信制御部１０８により、発信信号に対する通信接続処理が行われる（Ｓ２０３）。
【００４３】
また、移動機２００から送信された発信信号に含まれているＩＭＥＩおよびＭＳＮの組み合わせが、管理テーブル１０６に記憶されているものと一致しないと、判断されると、通信制御部１０８により、発信信号に対する通信接続処理が行われることなく、接続エラーが移動機２００に送信される（Ｓ２０４）。
【００４４】
このようにして、位置登録要求には応じて、移動機２００の位置登録処理を行うが、発着信の規制を行うことで、移動機２００のＳＩＭを差し替えても、実質的な通信を行わせないようにすることができる。なお、図６のシーケンス図においては、移動機２００が発信側の例を示したが、着信側でも同様に、ＩＭＥＩとＭＳＮとの組み合わせに基づいて着信制御を行うことができる。
【００４５】
つぎに、本実施形態のネットワーク管理装置１００および変形例におけるネットワーク管理装置１００ａの作用効果について説明する。
【００４６】
本実施形態のネットワーク管理装置１００において、管理テーブル１０６は、端末を一意に識別可能にする端末識別情報であるＩＭＥＩおよびユーザを一意に識別可能にする加入者情報であるＩＭＳＩを対応づけて記憶している。そして、位置登録要求受信部１０１は、移動機２００から、ＩＭＥＩおよびＩＭＳＩを含んだ位置登録要求を受信する。この位置登録要求受信部１０１において位置登録要求が受信されると、規制判断部１０２は、管理テーブル１０６に対応付けられているＩＭＥＩおよびＩＭＳＩと、位置登録要求に含まれているＩＭＥＩおよびＩＭＳＩとが一致するか否かを判断する。そして、規制判断部１０２により、ＩＭＥＩおよびＩＭＳＩの対応付けが一致していると判断されると、制御部１０３は、受信された位置登録要求に応じて位置登録処理を行う。また、規制判断部１０２において、一致しないと判断されると、制御部１０３は、位置登録処理を行わない制御を行う。そして、位置登録要求応答部１０４は、移動機２００に対して位置登録を行った旨の応答信号を送信する。
【００４７】
これにより、移動機２００を紛失した場合における移動機２００本体の不正利用を防止することができる。すなわち、移動機２００は一般的にＳＩＭといった加入者情報を記憶するメモリカードを装着することにより通信などを実行することができ、移動機２００を紛失した場合、そのＳＩＭを入れ替えることにより、紛失した移動機２００を不正に利用することが想定されるが、本発明によれば、そのような不正利用と想定される場合には、位置登録処理を行わないため、移動機２００は、発着信処理を行うことができず、よって第三者による、紛失した移動機２００の不正利用を防止することができる。
【００４８】
なお、このネットワーク管理装置１００に接続する移動機２００は、着脱自在のＳＩＭなどの記憶手段を備えている。この記憶手段には、少なくともＩＭＥＩおよびＩＭＳＩを記憶している必要がある。よって、この移動機２００を紛失等して第三者に不正に渡り、ＳＩＭ等の記憶手段を差し替えて利用しようとしても、通信網を利用した位置登録処理を防止することができ、位置登録を利用した通信処理の不正利用を防止することができる。
【００４９】
また、変形例におけるネットワーク管理装置１００ａにおいて、管理テーブル１０６ａは、端末を一意に識別可能にするＩＭＥＩおよびＭＳＮを対応づけて記憶している。そして、通信制御部１０８は、移動機２００から、ＩＭＥＩおよびＭＳＮを含んだ通信接続要求を受信し、規制判断部１０２ａは、管理テーブル１０６ａに対応付けられているＩＭＥＩおよびＭＳＮと、通信接続要求に含まれているＩＭＥＩおよびＭＳＮとが一致するか否かを判断する。そして、規制判断部１０２ａにより、ＩＭＥＩおよびＭＳＮの対応付けが一致していると判断されると、通信制御部１０８は、通信接続要求に応じて通信接続処理を行う。また、一致しないと判断されると、通信制御部１０８は、通信接続処理を行わない制御を行う。
【００５０】
これにより、移動機２００を紛失した場合における移動機２００本体の不正利用を防止することができる。すなわち、移動機２００は一般的にＳＩＭといった加入者情報を記憶するメモリカードを装着することにより通信などを実行することができ、ＳＩＭを入れ替えることにより、紛失した移動機２００を不正に利用することが想定されるが、本発明によれば、そのような不正利用と想定される場合には、発信要求などの通信接続要求に基づいた接続処理を行わないため、通信することができず、よってそのような不正利用を防止することができる。
【００５１】
なお、このネットワーク管理装置１００ａに接続する移動機２００は、着脱自在のＳＩＭなどの記憶手段を備えている。この記憶手段には、少なくともＩＭＥＩおよびＭＳＮを記憶している必要がある。よって、この移動機２００を紛失等して第三者に不正に渡り、ＳＩＭ等の記憶手段を差し替えて利用しようとしても、通信網を利用した発着信処理を防止することができる。
【００５２】
なお、この変形例におけるネットワーク管理装置１００ａにおいて、位置登録要求部１０１および位置登録要求応答部１０４を備えており、位置登録要求に含まれているＩＭＥＩとＩＭＳＩとの対応付けが、管理テーブル１０６ａにおけるＩＭＥＩとＩＭＳＩとの対応付けと一致していなくても、位置登録処理は行われてもよい。よって、変形例におけるネットワーク管理装置１００ａは、位置登録処理を可能にするため、第三者による不正利用を防止しつつ、移動機２００の位置をネットワーク側で把握することが可能である。
【００５３】
また、上述実施形態は、主にＧＰＲＳによる通信システムを用いたものである。しかしながら、このような通信システムに限定するものではなく、パケットデータを通信することができる通信システムにおいては適宜適用可能であり、例えば、ＬＴＥ（Long Term Evolution）などの新規な通信システムにおいても適用可能である。その際、ＧＧＳＮに相当するものは、Ｐ−ＧＷ（Packet Data Network Gateway)であり、ＳＧＳＮに相当するものは、ＭＭＥ（Mobility Management Entity）若しくはＳ−ＧＷ（Serving Gateway）である。また、ＨＬＲに相当するものは、ＨＳＳ（加入者情報管理サーバ：Home Subscriber System）である。なお、ＨＬＲとしてＰＣＲＦ（ポリシー制御装置：Policy and Charging Rule Function）を用いてもよい。
【符号の説明】
【００５４】
１００…ネットワーク管理装置、１００ａ…ネットワーク管理装置、１０１…位置登録要求受信部、１０２…規制判断部、１０２ａ…規制判断部、１０３…制御部、１０４…位置登録要求応答部、１０５…記憶部、１０６…管理テーブル、１０７…ユーザプロファイル記憶部、１０７ａ…ユーザプロファイル記憶部、１０８…通信制御部、２００…移動機。
【図１】
0005620808.tif 000002
【図２】
0005620808.tif 000003
【図３】
0005620808.tif 000004
【図４】
0005620808.tif 000005
【図５】
0005620808.tif 000006
【図６】
0005620808.tif 000007